(57)【要約】【課題】  建築材の表層部からの天然マイナスイオンの発生が促進され、比較的安価に環境改善や健康促進効果を得ること。【解決手段】  建築材２の表層部に塗装されるトップコート３と、トップコート３表面に混入されるマイナスイオン発生物質４とを備えたマイナスイオン建築材１である。マイナスイオン発生物質４は硬化前のトップコート３表面に撒かれてトップコート３を硬化させることで、トップコート３表面に硬化定着している。【選択図】        図１
2005048445.tif 000002
【特許請求の範囲】
【請求項１】
建築材の表層部に塗装されるトップコートと、トップコート表面に混入されるマイナスイオン発生物質とを備えると共に、上記マイナスイオン発生物質は硬化前のトップコート表面に撒かれてトップコートを硬化させることで、トップコート表面に硬化定着していることを特徴とするマイナスイオン建築材。
【請求項２】
上記マイナスイオン発生物質はトルマリン等の粉体からなり、硬化前のトップコート表面にエアーの吹き付けにより塗布されることを特徴とする請求項１記載のマイナスイオン建築材。
【発明の詳細な説明】
【技術分野】
【０００１】
本発明は、マイナスイオンを積極的に利用して人体や環境に好影響を与えることができるマイナスイオン建築材に関するものである。
【背景技術】
【０００２】
従来、図３に示すように、建築材２の表面材５上に下塗り塗料６、中塗り塗料７、上塗り塗料３ａを重ね塗りするにあたって、トップコート３である上塗り塗料３ａ中にマイナスイオンＡを発生するトルマリン粉体４を混入させ、このトルマリン混入塗料を上塗りすることにより、建築材２の表層部からマイナスイオンＡを発生させるようにしたマイナスイオン建築材１’が知られている（例えば、特許文献１参照）
ところが従来のように上塗り塗料３ａ内部にトルマリン粉体４Ａを混入させるタイプのものでは、マイナスイオンＡが放散しにくく、マイナスイオン発生量を増やすことができず、トルマリンの効果はあまり発揮されないという問題があった。
【特許文献１】特開２００２−１４７００２号公報
【発明の開示】
【発明が解決しようとする課題】
【０００３】
本発明は上記の従来の問題点に鑑みて発明したものであって、建築材の表層部からの天然マイナスイオンの発生が促進され、比較的安価に環境改善や健康促進効果が得られるマイナスイオン建築材を提供することを課題とするものであり、さらに、表面耐滑り性に優れたマイナスイオン建築材を提供することを課題とするものである。
【課題を解決するための手段】
【０００４】
上記課題を解決するために本発明に係るマイナスイオン建築材は、建築材２の表層部に塗装されるトップコート３と、トップコート３表面に混入されるマイナスイオン発生物質４とを備えると共に、上記マイナスイオン発生物質４は硬化前のトップコート３表面に撒かれてトップコート３を硬化させることで、トップコート３表面に硬化定着していることを特徴としている。
【０００５】
このような構成とすることで、建築材２の表層部からのマイナスイオンＡ（天然マイナスイオン）の発生が促進され、従来の混入タイプと比較してマイナスイオンＡの効果を増大させる健康対応型のマイナスイオン建築材１が得られる。しかも、マイナスイオン発生物質４はトップコート３表面に露出した状態で存在しているので、比較的高価なマイナスイオン発生物質４の使用量を抑えながら、マイナスイオンＡの発生量を増加させることができ、マイナスイオン建築材１を安価に仕上げることができるようになる。
【０００６】
また上記マイナスイオン発生物質４はトルマリン等の粉体４Ａからなり、硬化前のトップコート３表面にエアーの吹き付けにより塗布されることを特徴とするのが好ましく、この場合、硬化前のトップコート３表面に対してトルマリン等の粉体４Ａが広く且つ均質に塗布され、塗工工程の作業性が向上すると同時に、エアーの吹き付け力によって粉体４Ａが硬化前のトップコート３表面に突き刺される形で存在することとなり、これによりトップコート３表面粗さが粗くなることで、特に床材として使用される場合においては表面耐滑り性が向上する結果、滑りにくくなり、歩行性及び安全性に優れたものとなる。
【発明の効果】
【０００７】
本発明にあっては、トップコート表面にマイナスイオン発生物質を硬化定着させているので、建築材の表層部からの天然マイナスイオンの発生が促進され、例えば、疲労回復、自律神経回復、免疫機能向上等の健康、さらに安らぎ、快適な室内環境を与える効果が得られるマイナスイオン建築材が比較的安価に得られるものである。
【発明を実施するための最良の形態】
【０００８】
以下、本発明を添付図面に示す実施形態に基いて説明する。
【０００９】
本実施形態のマイナスイオン建築材１は、図１に示すように、建築材２の表層部に塗装されるトップコート３と、トップコート３表面（塗膜表面）に混入されるマイナスイオン発生物質４とを備えた塗装建材であり、上記マイナスイオン発生物質４は硬化前のトップコート３表面に撒かれてトップコート３を硬化させることで、トップコート３表面に硬化定着させることを特徴とするものである。また本例では、マイナスイオン発生物質４は硬化前のトップコート３表面にエアーの吹き付けにより塗布されることを特徴とするものである。
【００１０】
ここで、上記建築材２は、例えば床材であり、その表面材５上には下塗り塗料６、中塗り塗料７、トップコート３となる上塗り塗料３ａなどが重ね塗りされる。なお、建築材２として、ムク、合板、ＭＤＦ、その他の一般建材（パーチクルホード、ＨＤＦ、ＯＳＢ、針葉樹等）が用いられ、表面材５として単板、突板、シート等が用いられる。なお、建築材２がムクの場合は、表面材５は省略可能である。
【００１１】
上記マイナスイオン発生物質４は、上塗り塗料３ａによって形成されるトップコート３表面に混入されるものであり、例えば、トルマリン粉体４Ａが用いられる。このトルマリン粉体４Ａは、電気石と呼ばれる天然トルマリン鉱石を微細に砕いて微細結晶としたもので、粒径は例えば、０．１μ〜４μ、塗布量は例えば０．１〜０．５ｇ／尺角とされる。なお、マイナスイオンＡの発生機能を持つものとして、トルマリン以外に、例えば、光明石、医王石、龍王石等も適宜選択使用可能である。
【００１２】
次に、上記構成のマイナスイオン建築材１を製造するにあたっては、図２に示すように、塗装板の表面を研磨し、或いは着色（又はクリア）を行なう。その後、下塗り、中塗り、上塗り（トップコート）を行なう。このとき、トップコートが硬化する前に、トルマリン粉体をエアーの吹き付けによりトップコート表面に塗布する。最後に塗装面を乾燥して硬化させる。なお、トルマリン粉体をエアーで吹き付ける方法に限られず、例えば、トルマリン水溶液を噴霧機により吹き付けて乾燥させる方法でも可能である。
【００１３】
しかして、図１に示すように、トルマリン粉体４Ａが硬化後のトップコート３表面に硬化定着していることにより、建築材２の表層部からのマイナスイオンＡ（天然マイナスイオン）の発生が促進される。ちなみに、従来の塗装剤の内部にトルマリンを混入させるタイプのものでは、トルマリンによる効果が減少する欠点があったが、本発明では、トップコート３表面にトルマリン粉体４Ａが集中的に露出して存在していることにより、従来の混入タイプと比較して、建築材２の表層部からマイナスイオンＡが放散しやすくなり、マイナスイオンＡの効果を増大させる健康対応型のものとなり、結果、例えば、疲労回復、自律神経回復、免疫機能向上等の健康、さらに安らぎ、快適な室内環境を与える効果が得られる。なお、マイナスイオンＡを発生させるのに有利なトルマリンは高価であるが、トップコート３表面に露出した状態で存在しているので、集中的にトップコート３表面に存在する状態となり、結果、トルマリン粉体４Ａの使用量を抑えながら、マイナスイオンＡの発生量を増加させることができる。これにより、マイナスイオン建築材１が安価に仕上がるものである。
【００１４】
さらに、トルマリン粉体４Ａを硬化前のトップコート３表面にエアー吹き付けするので、トルマリン粉体４Ａがトップコート３表面に広く且つ均質に塗布され、塗工工程の作業性が向上すると同時に、エアーの吹き付け力によってトルマリン粉体４Ａが硬化前のトップコート３表面に突き刺される形で存在することとなり、これによりトップコート３表面粗さが粗くなることで、床材として使用される場合においては表面耐滑り性が向上する。つまり、床材の表面がトルマリン粉体４Ａによって滑りにくくなり、歩行性及び安全性に優れたものとなる。
【００１５】
本発明に係るマイナスイオン建築材１は、床材に限らず、壁材、天井材、その他のすべての建築用の塗装建材（シート材も含む）に広く適用されるものである。
【図面の簡単な説明】
【００１６】
【図１】本発明の一実施形態のマイナスイオン建築材のトップコート表面にマイナスイオン発生物質が硬化定着した状態の説明図である。
【図２】同上の製造工程図である。
【図３】従来例の説明図である。
【符号の説明】
【００１７】
１  マイナスイオン建築材
２  建築材
３  トップコート
４  マイナスイオン発生物質
４Ａ  トルマリン粉体
Ａ  マイナスイオン
【図１】
2005048445.tif 000003
【図２】
2005048445.tif 000004
【図３】
2005048445.tif 000005